(57)【要約】【課題】  受信アンテナの配設環境が変わっても同調ズレを補償し得るようにした電波時計を提供すること【解決手段】  電波時計１は、非磁性金属製の部品部分１０，１４，１７を備えた外装２と、該外装２内に配設された標準電波受信アンテナ４０と、該受信アンテナ４０と協働して標準電波ＪＪＹに対する共振回路を形成する受信回路６３と、前記標準電波受信アンテナ４０が該受信回路６３の共振用部分と協働して該標準電波ＪＪＹに対して共振するように前記外装２内における前記受信アンテナ４０のインダクタンスを補正すべく、該外装２内において前記受信アンテナ４０に近接した補正用位置に配置されたインダクタンス補正用磁性材料体５０とを有する。【選択図】  図２
2007107891.tif 000002
【特許請求の範囲】
【請求項１】
非磁性金属製の部品部分を備えた外装と、
該外装内に配設された標準電波受信アンテナと、
該受信アンテナと協働して標準電波に対する共振回路を形成する受信回路と、
前記標準電波受信アンテナが該受信回路の共振用部分と協働して該標準電波に対して共振するように前記外装内における前記受信アンテナのインダクタンスを補正すべく、該外装内において前記受信アンテナに近接した補正用位置に配置されたインダクタンス補正用磁性材料体と
を有する電波時計。
【請求項２】
前記外装の非磁性金属製の部品部分が、時計ケース、裏蓋及び文字板のうちの少なくとも一部である請求項１に記載の電波時計。
【請求項３】
前記磁性材料体が、前記外装を構成する時計ケース内において、前記受信アンテナに対して時計の厚さ方向にズレた位置にある請求項１又は２に記載の電波時計。
【請求項４】
前記受信アンテナが棒状受信アンテナからなり、時計の厚さ方向に見て、前記磁性材料体が前記棒状受信アンテナに重なる程度又は該棒状受信アンテナから離間する程度によって、補正用位置が選択されている請求項３に記載の電波時計。
【請求項５】
前記厚さ方向に見て、前記磁性材料体が前記棒状受信アンテナに重なる程度又は該棒状受信アンテナから離間する程度が、前記磁性材料体を前記厚さ方向に垂直な面内で一方向に並進移動させることにより選択されている請求項４に記載の電波時計。
【請求項６】
前記厚さ方向に見て、前記磁性材料体が前記棒状受信アンテナに重なる程度又は該棒状受信アンテナから離間する程度が、前記磁性材料体を前記厚さ方向に垂直な回動中心軸線のまわりで回動させることにより選択されている請求項４に記載の電波時計。
【請求項７】
前記磁性材料体が円板状又は半円の板状である請求項１から６までのいずれか一つの項に記載の電波時計。
【請求項８】
前記磁性材料体が前記裏蓋の内面に配設されている請求項２から７までのいずれか一つの項に記載の電波時計。
【請求項９】
前記磁性材料体が前記文字板の背面側に配設されている請求項２から７までのいずれか一つの項に記載の電波時計。
【請求項１０】
前記磁性材料体が位置調整可能に前記外装内に配設されるように構成された請求項１から８までのいずれか一つの項に記載の電波時計。
【発明の詳細な説明】
【技術分野】
【０００１】
本発明は、電波時計ないし電波修正時計に係り、より詳しくは、腕時計のような携帯型又は小型の時計として用いられるに適した電波時計に係る。
【背景技術】
【０００２】
時刻情報を含む標準電波を受信し該標準電波の時刻情報に基づいて時刻を修正する電波時計では、受信アンテナを含む受信系は、基本的には、標準電波の長波（例えば、周波数が４０ｋＨｚや６０ｋＨｚの電波）に同調するように構成される。
【０００３】
金属製の時計ケースを備えた電波時計では、受信系がケース外にある単体の状態で標準電波に同調するように形成されていても、受信系が金属ケース内に収容されると、磁気コア付コイルの形態の受信アンテナのインダクタンス成分が変化するので、同調ズレ（共振状態からのズレ）が生じる。
【０００４】
このズレを補償するためには、典型的には、静電容量が調整される。この静電容量の調整は、２〜３個程度のコンデンサを受信アンテナに並列に付け加えることにより行なわれる。しかしながら、その場合、コンデンサの接続のために、熱を加える必要があることから、プラスチック材料部分を変形させたり該部分を汚損させたりして、該部分に損傷を与えたる虞れがある。
【０００５】
一方、同調ズレを補償する方法としては、コイルの巻線長（コイルの巻線からの引出し位置）を変えることにより、インダクタンスを調整することも知られている。しかしながら、比較的小型の時計にこの方法を適用することは、実際的でない。
【０００６】
時計ケースが非磁性金属製である場合だけでなく裏蓋や文字板の如き他の外装部品が非磁性金属製である場合にも、程度の差こそあれ、以上のような同調ズレが生じる。
【０００７】
なお、金属ケース内に受信系を収容した場合に受信アンテナの磁気コアを通る磁束が金属ケースの内面に鎖交することにより生ずる渦電流損によって受信系の感度が低下するのを最低限に抑えるべく、受信アンテナの周りに磁性材を配置することは提案されている（特許文献１）。
【０００８】
但し、この提案は、損失を最低限に抑えることにより受信感度を高めることを目的としたものであって、同調ズレを補償しようとするものではない。
【特許文献１】特開２００５−１０１７０８号
【発明の開示】
【発明が解決しようとする課題】
【０００９】
本発明は前記諸点に鑑みなされたものであって、その目的とするところは、受信アンテナの配設環境が変わっても同調ズレを補償し得るようにした電波時計を提供することにある。
【課題を解決するための手段】
【００１０】
本発明の電波時計は、前記目的を達成すべく、非磁性金属製の部品部分を備えた外装と、該外装内に配設された標準電波受信アンテナと、該受信アンテナと協働して標準電波に対する共振回路を形成する受信回路と、前記標準電波受信アンテナが該受信回路の共振用部分と協働して該標準電波に対して共振するように前記外装内における前記受信アンテナのインダクタンスを補正すべく、該外装内において前記受信アンテナに近接した補正用位置に配置されたインダクタンス補正用磁性材料体とを有する。
【００１１】
本発明の電波時計では、外装が非磁性金属製の部品部分を備えるので、標準電波受信アンテナが該外装内に配設されると、該アンテナが該外装外にある場合と比較して該アンテナのインダクタンス（自己インダクタンス）が変化（低下）する。従って、例えば、受信アンテナが外装外にある状態で標準電波に対して同調されているとしても、該受信アンテナを外装内に収容した場合には、そのままでは、同調ズレが生じる。ところが、本発明の電波時計では、「標準電波受信アンテナが受信回路の共振用部分と協働して該標準電波に対して共振するように受信アンテナのインダクタンス成分を補正すべく、外装内において受信アンテナに近接した補正用位置に配置されたインダクタンス補正用磁性材料体」が設けられているので、受信アンテナを含む受信系が通常使用状態において、標準電波に対して同調状態にされ得る。
【００１２】
すなわち、補正用磁性材料体が受信アンテナに近接して配置されると、磁性材料体の三次元形状及び受信アンテナに対する相対位置（距離及び向き）並びに材質（透磁率）におうじて、受信アンテナの磁気コアを通る磁束の磁気ループの磁気抵抗が低くなり、それに応じて、受信アンテナのインダクタンス（成分）が高くなる。その結果、受信アンテナを含む共振回路の共振周波数が低くなる。従って、この共振周波数が標準電波の長波の周波数に一致するように特定材質・特定形状の磁性材料体を受信アンテナに対して特定の相対位置に配置することにより、同調ズレを補償し得る。なお、当然ながら、補正用磁性材料体が大きく受信アンテナの両端部に近接する程、且つ磁性材料体の透磁率が高くなる程、受信アンテナのインダクタンス（成分）の増大は大きくなる。ここで、「受信アンテナのインダクタンス」ないし「受信アンテナのインダクタンス成分」とは、周囲の影響を受信アンテナのコイル部分に帰せしめた等価回路で表した場合における実効的な自己インダクタンスを指す。
【００１３】
なお、受信アンテナが内部に配設される外装の環境は、通常、電波時計のモデル毎に異なる。即ち、通常、受信アンテナや受信回路からなる電波修正機能部分を含めた時計の本体部分（この明細書では、この全体を「ムーブメント」という）を、異なる外装（即ち、時計ケースや裏蓋や文字板等で囲まれる領域）内に組込むことにより、種々のモデルの時計製品が作られる。それ故、受信アンテナが外装内の所定位置に配置された際に生ずるインダクタンスのズレ（低下の程度）もモデル毎に異なることになる。本発明の電波時計では、受信アンテナに対して近接した位置にインダクタンス補正用磁性材料体を配置することにより受信アンテナのインダクタンスを増加させることが可能であるので、インダクタンス補正用磁性材料体の受信アンテナに対する相対位置を変更する（異なる相対位置を採らせる）ことにより、受信アンテナのインダクタンスを異なる程度だけ増大せしめ得る。従って、例えば、同一のムーブメントを異なる外装内に組込む場合であっても、外装内への組込みに伴う異なるインダクタンスの変動（低下）を、異なる補正位置へのインダクタンス補正用磁性材料体の配置によって補償して、標準電波に対して同調（共振）させ得る。
【００１４】
なお、所望ならば、本発明の電波時計では、外装環境をある程度予め考慮して、受信アンテナが外装外にある単体状態で既にインダクタンスが同調条件からズレた値になるように、受信アンテナが形成されてもよい。
【００１５】
ここで、インダクタンス補正用磁性材料体の大きさや形状が変わることによっても、受信アンテナのインダクタンスが変わるから、典型的には、インダクタンスの補正を確実に行ない得る大きさや形状に、インダクタンス補正用磁性材料体が予め形成される。このインダクタンス補正用磁性材料体は、その大きさや形状が一旦選択された後は、典型的にはその大きさや形状がそのままに保たれ、受信アンテナに対する相対位置を変更することにより、実効インダクタンスの調整が行なわれる。特定の外装（時計ケースや裏蓋や文字板等）を備えた特定の電波時計では、インダクタンスのズレが実質的に同程度であることが期待されるので、当該特定の電波時計では、インダクタンス補正用磁性材料体は受信アンテナに対して実質的に同じ位置に配置される。但し、所望ならば、インダクタンス補正用磁性材料体が、受信アンテナに対して位置調整可能に外装内に配置されてもよい。
【００１６】
同調を与える「補正用位置」は、インダクタンス補正用磁性材料体の三次元の大きさや三次元形状が異なると、異なり得る。なお、三次元形状が変わると、当然ながら、外装を構成する時計ケースの室内におけるその占有領域が変わるので、広義に見て補正用位置の変更を伴う。なお、インダクタンス補正用磁性材料体の材料が変わる（透磁率の異なる材料になる）ことによっても、補正用位置は異なり得る。調整されるべきインダクタンスの大きさ及び受信アンテナの大きさや形状に応じて、同一形状・同一材料からなるインダクタンス補正用磁性材料体を用いる代わりに、異なる大きさや形状や材料のインダクタンス補正用磁性材料体を用いて、インダクタンスの補正を行なうようにしてもよい。
【００１７】
本発明の電波時計では、磁性材料体は、当然ながら、透磁率の高い軟磁性材料からなる。一方、外装の部品部分について、「非磁性金属製」であるとは、外装部品のうちの少なくとも一部の外装部品又は該外装部品のうちの一部の少なくとも部分が非磁性金属からなることをいう。すなわち、典型的には、外装を構成する主たる部品（外装部品）である時計ケースや裏蓋や文字板のうちの少なくとも一つが非磁性金属製であるか、又は、該外装部品の少なくとも一部の部分、例えば時計ケースのうちの一部の部分若しくは文字板のうちの一部の部分が非磁性金属製であることをいう。「非磁性金属」は、非磁性合金を含む。
【００１８】
本発明の電波時計では、典型的には、磁性材料体が、時計ケース内において受信アンテナに対して時計の厚さ方向にズレた位置に配置される。
【００１９】
この場合、磁性材料体は、厚さ方向に垂直な面内で所望形状の広がりをもち、該面に沿って磁性材料体の位置を調整することにより、インダクタンスの実効値を変更し得る。ここで、位置の調整とは、典型的には、予め調整（選択）された位置に静置されることをいう。但し、位置調整可能（変位可能）であってもよい。なお、磁性材料体の厚さが該厚さ方向に垂直な面内の位置により変化していていもよいけれども、典型的には、磁性材料体は、一定の厚さを持つ平板状ないし薄板状（薄膜状）の形状を有する。この場合、厚さ方向に見た場合、磁性材料体は、受信アンテナに全体的に重なる位置を採ったり少なくとも部分的に重なる位置を採ったり、全く重ならない位置を採ったりし得る。受信アンテナの平面形状が一定である場合、受信アンテナのインダクタンスは、磁性材料体の受信アンテナに対する重なりや近接の程度（特に受信アンテナの磁束が出入りする両端部に対する重なりや近接の程度）等によって変化する。勿論、磁性材料体の厚さにも依存する。従って、これらを考慮して、例えばモデルが変わる毎に、磁性材料体の受信アンテナに対する相対位置を種々に変えた場合における受信アンテナのインダクタンスを予め測定しておいて、同調（共振）条件を満たす磁性材料体の位置を予め決定し、当該決定位置を補正位置として選択して、当該補正位置に磁性材料体を配設する。
【００２０】
なお、磁性材料体がケース内において受信アンテナに対して時計の厚さ方向にズレた位置に配置される代わりに、所望ならば、磁性材料体が時計の厚さ方向に垂直な同一の面内で受信アンテナに対して離れた位置に配置されてもよい。
【００２１】
本発明の電波時計では、典型的には、受信アンテナが磁性材料体に対して時計の厚さ方向にズレた位置に配置される棒状受信アンテナからなり、磁性材料体が時計の厚さ方向に見て棒状受信アンテナに重なる程度又は該棒状受信アンテナから離間する程度によって、補正用位置が選択されている。
【００２２】
この場合、占有領域を最低限に抑えた状態で、インダクタンスの大幅な変更が可能になり、確実に同調をとり得る。ここで、時計ケースの内周面が円形（円筒形）である場合、棒状アンテナは、典型的には、円弧状に湾曲している。但し所望ならば、直線状に延びていてもよい。また、所望ならば、受信アンテナが棒状の代わりに、面状であってもよい。
【００２３】
本発明の電波時計では、典型的には、厚さ方向に見て、磁性材料体が棒状受信アンテナに重なる程度又は該棒状受信アンテナから離間する程度が、磁性材料体を厚さ方向に垂直な面内で一方向に並進移動させることにより選択されている。その場合、磁性材料体の位置決めが、比較的容易である。
【００２４】
本発明の電波時計では、典型的には、厚さ方向に見て、磁性材料体が棒状受信アンテナに重なる程度又は該棒状受信アンテナから離間する程度が、磁性材料体を厚さ方向に垂直な回動中心軸線のまわりで回動させることにより選択されている。その場合、時計のケースが円形などのときは、他の時計部品が邪魔になる虞れが少ないから、磁性材料体の位置調整が容易に行なわれ得る。
【００２５】
本発明の電波時計において、上述のように、厚さ方向に見て、磁性材料体が棒状受信アンテナに重なる程度又は該棒状受信アンテナから離間する程度を、磁性材料体を厚さ方向に垂直な面内で一方向に並進移動させることにより選択したり、磁性材料体を厚さ方向に垂直な回動中心軸線のまわりで回動させることにより選択したりするような場合であって、且つ例えば同一のムーブメントを異なる外装内に組込む場合において、外装の非磁性金属部品部分に起因するインダクタンス変化が他のモデルの場合と相当異なるときは、磁性材料体の位置（補正位置）を大きく変える代わりに、例えば、磁性材料体の大きさや形状（平面形状及び厚さのうちの一方又は両方）や磁性材料の種類を変えることによって磁性材料体によるインダクタンス増加の程度を変えることにより、ケースや受信アンテナに対してほぼ同様な場所（補正位置）に磁性材料体が配置され得るようにしてもよい。
【００２６】
本発明の電波時計では、典型的には、磁性材料体が円板状又は半円の板状である。その場合、磁性材料体の配置が容易であったり、磁性材料体と受信アンテナとの相対位置の変動により、インダクタンスを変動させ易く、磁性材料体を形成し易い。但し、磁性材料体が板状（又は層状）である場合、磁性材料体の平面形状は、円や半円以外のどのような形状でもよい。
【００２７】
本発明の一実施の形態の電波時計では、磁性材料体が裏蓋の内面に配設されている。その場合、磁性材料体の配設や配設位置の変更が容易に行なわれ得る。
【００２８】
本発明の一実施の形態の電波時計では、磁性材料体が文字板の背面側に配設されている。その場合、裏蓋をブザーその他の機能に利用し易い。
【００２９】
磁性材料体が、薄板や薄層のような薄膜からなる場合、磁性材料体は、裏蓋や文字板の如き支持体の内面や背面等に貼着により固定されても、薄膜形成手段その他の手段により形成されてもよい。
【００３０】
本発明の一実施の形態の電波時計では、磁性材料体が位置調整可能にケース内に配設されるように構成される。その場合、個体毎に、同調の調整が行なわれ得る。
【００３１】
本発明の電波時計は、典型的には、腕時計のような携帯型又は小型の電波時計の形態である。但し、所望ならば、時刻表示を可能にする他の電子機器の一部として組込まれていても、その代わりに、時計に時計機能以外の機能が組込まれたものであってもよい。
【発明を実施するための最良の形態】
【００３２】
次に、本発明の好ましい実施の形態のいくつかを添付図面に示した好ましい実施例に基づいて説明する。
【実施例】
【００３３】
電波時計１は、図１及び図２に示したように、円形ないし円環状の非磁性金属製の時計ケース１０を有する。金属製ケース１０の薄い円板状ないし低い円柱状（円筒状）の室１１内には、ケース１０の内周面１２から突出した環状突出部１３に係止される状態で、文字板１４及び地板１５が配設されている。ケース１０の室１１は、該ケース１０の開口部１０ａに嵌着された時計ガラス１６と該ケース１０の反対側開口部１０ｂに螺着された裏蓋１７によって閉じられている。この例では、文字板１４及び裏蓋１７は非磁性金属製であり、地板１５は樹脂製である。室１１の中央部において、地板１５と該地板１５に対向する樹脂製輪列受１８との間には、時計輪列２０が配置されている。時計輪列２０は、非磁性金属製でも樹脂製でもよい。時計輪列２０は、室１１の中心部と周縁部との中間の部位に配置されたモータ３０のロータ３１により、中間の輪列を介して、中心軸線Ｂのまわりで回転される分車２１及び時車２２を含む。分車２１及び時車２２の真ないし軸は文字板１４を貫通して突出し、突出端には、分針２３及び時針２４が取付けられている。ここでは、図の簡略化のために省かれているけれども、更に、秒車及び秒針が設けられていてもよい。以上において、外装２は、時計ケース１０、文字板１４及び裏蓋１７並びに分針２３及び時針２４を含む。
【００３４】
なお、外装２のうち時計ケース１０、文字板１４及び裏蓋１７という主たる外装部品の全てが非磁性金属製である代わりに、時計ケース１０、文字板１４及び裏蓋１７のうちのいずれか一つ又は二つが非磁性金属製であってもよい。また、例えば、時計ケース１０の一部のみが非磁性金属製で他の部分が樹脂その他の非磁性非導電性材料からなっていてもよい。
【００３５】
室１１のうちケース１０の内周面１２から所望大きさの間隙Ｇをおいた位置には、円弧状の受信アンテナ４０が配設されている。受信アンテナ４０は、軟磁性材料からなるアンテナコアないし磁気コア４１と、該コア４１に巻回された巻線４２とを備える。裏蓋１７のうち室１１に対面する側の表面（内面）１７ａの所定の位置（補正用位置）Ｄｒには、所定の大きさ及び形状の軟磁性材料層ないし軟磁性材料体５０が貼着されている。補正用位置Ｄｒは、受信アンテナ４０の形状や時計の厚さ方向に関する受信アンテナ４０からの距離だけでなく、軟磁性材料体５０の大きさ（延在面内での大きさ及び厚さ）並びに延在面内での形状や軟磁性材料体５０の材質により異なる。軟磁性材料（の材質）は、フェライトの如き非金属製の磁性材料であっても、アモルファス合金の如き金属製の磁性材料であってもよい。
【００３６】
なお、磁性材料層５０は、裏蓋１７の内面の代わりに、例えば、図２において想像線５０ｉで示したように、文字板１４の背面１４ａ、即ち文字板１４のうち地板１５に対面する側に配置ないし形成されてもよい。磁性材料層５０は、他の時計部品の配置を妨げない限り、他の任意場所に設けられ得、場合によっては、受信アンテナ４０に対して厚さ方向に重ならないところでもよい。
【００３７】
輪列受１８の裏蓋１７側に沿って、回路ブロック６０が配置されている。回路ブロック６０は、回路基板６１や、該回路基板６１に実装された時計用集積回路（時計ＩＣ）６２及び受信用集積回路（受信ＩＣ）６３や、ＩＣ６２，６３用のクロック信号を発する水晶発振器６４，６５を含む。受信ＩＣ６３は、受信アンテナ４０と協働して、時刻情報を含む標準電波ＪＪＹの長波（例えば、４０ｋＨｚ又は６０ｋＨｚの一方又は両方）に同調する同調（共振）回路を形成する共振用部分を含む。輪列受１８や回路基板６１は、モータ３０のステータコイル３２の部分や受信アンテナ４０の巻線４２のある部分に開口や切欠を有する。時計ＩＣ６２用の水晶発振器６４は時計ＩＣ６２の分周回路を介して秒パルスを発する。受信ＩＣ６３用の水晶発振器６５は、受信アンテナ４０で受信する標準電波ＪＪＹからの時刻情報の取得を制御するクロックパルスを発する。
【００３８】
室１１のうちモータ３０や受信アンテナ４０とは直径方向反対側の領域には、ボタン型電池１９が配設されている。回路基板６１は該電池１９の配設領域でも切欠かれ、回路基板６１から電池１９のプラス端子に回路ブロック６０の基準電位を与える電池プラス電極６６が延びている。
【００３９】
外装２の金属ケース１０の室１１内に位置する受信アンテナ４０及び磁性材料層５０は、受信ＩＣ６３の受信回路の共振用部分と協働して、図３に示したようにインダクタンスＬ，抵抗Ｒ及び静電容量Ｃを含む等価回路で表される共振回路７０を形成する。ここで、インダクタンスＬは、受信アンテナ４０のコア４１の磁性材料の種類や大きさや形状、巻線４２の数の如き受信アンテナ４０の特性、金属ケース１０の室１１内での金属ケース１０や金属製文字板１４や金属製裏蓋１７等に対する受信アンテナ４０の配置だけでなく、磁性材料層５０の材質や大きさや形状や受信アンテナ４０に対する磁性材料層５０の相対位置に依存する。
【００４０】
受信アンテナ４０のインダクタンスＬが外装２のケース１０外において大きさＬ0（例えば、７０ｍＨ程度）である場合、回路７０のような共振回路は、図４において、想像線で示した曲線Ａ0で示したような共振特性を示し、１／（２π（ＬＣ）1/2）で表される共振周波数ｆｒは、ｆ0になる。一方、受信アンテナ４０を外装２の金属ケース１０の室１１内に配置すると、磁心付コイルの形態の受信アンテナ４０のインダクタンスＬが大きさＬ0からＬ1（但し、Ｌ1＜Ｌ0で、例えば、５０ｍＨ強程度）に変化（低下）する。その結果、共振周波数ｆｒもｆ0からｆ1（但し、ｆ1＞ｆ0）に変化し、図４において一点鎖線で示した曲線Ａ1で示したような共振特性になる。ここで、標準電波ＪＪＹの長波の周波数ｆs＝４０ｋＨｚを基準として、金属ケース１０内に配置したときのインダクタンスＬの変化量ΔＬ＝Ｌ0−Ｌ1を考慮して、ｆ0＜ｆs且つｆs＜ｆ1に確実になるようにインダクタンスＬ0を選択しておくことにより、磁性材料層５０を適切な材料や大きさ及び形状で受信アンテナ４０に対して適切な相対位置（補正用位置）Ｄｒに配置することによって、ｆc＝ｆsを与えるインダクタンスＬ＝Ｌcに調整して、図４において実線で示した曲線Ａcで示したような共振特性を実現し得る。なお、磁性材料層５０の配設によるインダクタンスＬの調整が可能である限り、所望ならば、ｆ0＜ｆs且つｆs＜ｆ1である代わりに、単に、ｆ0＝ｆsであってもよく、また、場合によっては、ｆ0＞ｆsであってもよい。
【００４１】
以上のように、この電波時計１では、外装２が非磁性金属製の部品部分として時計ケース１０や裏蓋１７や文字板１４を備えるので、標準電波受信アンテナ４０が時計ケース１０の内周面１２や裏蓋１７の内面１７ａ等に近接した状態で該外装２の小さい室１１内に配設されると、該アンテナ４０が該外装２外にある場合と比較して該アンテナ４０のインダクタンスＬが変化（低下）する。従って、例えば、受信アンテナ４０が外装２外にある状態で標準電波ＪＪＹに対して同調されているとしても、該受信アンテナ４０を外装２内に収容した場合には、そのままでは、同調ズレが生じる。ところが、この電波時計１では、特定の大きさ及び形状のインダクタンス補正用磁性材料体５０が外装２内において受信アンテナ４０に近接した補正用位置Ｄｒに配置されているので、受信アンテナ４０の自己インダクタンスＬが該磁性材料体５０により補正されるから、受信ＩＣ６３の受信回路の共振用部分につながった標準電波受信アンテナ４０が標準電波ＪＪＹの周波数ｆsの長波に対して同調され得る。その結果、この電波時計１では、時計１のサイズが最小限に形成され、標準電波受信アンテナ４０が時計ケース１０の内周面１２や裏蓋１７の内面１７ａ等に近接した状態で配置されても、外装２の非磁性金属材料部分による悪影響を補償して、標準電波の受信感度を高めることが可能になる。従って、この電波時計１では、金属製外装部品を増やして高級感を与えることが可能になるだけでなく、同調用コンデンサの付加などを要しないことから、ムーブメントの樹脂材が熱により損傷を受ける虞れを最低限に抑え得る。
【００４２】
次に、磁性材料層５０が、半円形状の磁性材料体５１，５２からなる二つの試験例について、図５及び図６に基づいて説明し、更に、磁性材料層５０が円形の磁性材料体５３からなる試験例について図７に基づいて説明する。
【００４３】
試験例１
磁性材料層５０は、図５の下部に示したように、裏蓋１７のうち室１１に対面する円形領域のほぼ半分の大きさを有する半円形状薄板５１の形態である。薄板５１はＣｏ系の軟磁性アモルファス合金からなる。この試験例１では、図１及び図２に示したように金属ケース１０の室１１内に配置した受信アンテナ４０に対して、半円形磁性材料体５１を室１１の円の中心Ｂの周りで、相対回転させた。
【００４４】
Ｔ１ａで示した状態では、半円形磁性材料体５１は、受信アンテナ４０とは直径方向の反対側にあり、中心軸線Ｂの延在方向に沿って見た場合、受信アンテナ４０に重なる部分がなく、受信アンテナ４０のコア４１の両端部からも相当離れている。従って、受信アンテナ４０のコア４１を通る磁束はほとんど磁性材料層５１を通らない。その結果、状態Ｔ１ａにおける受信アンテナ４０のインダクタンスＬt1aは、磁性材料体５１がない場合のインダクタンスＬ1とほぼ同じで、共振周波数ｆt1aも共振周波数ｆ1とほぼ同じになった。
【００４５】
一方、Ｔ１ｂで示した状態では、磁性材料体５１は、状態Ｔ１ａの場合と比較して９０度だけ相対回転された位置を採り、中心軸線Ｂの延在方向に沿って見た場合、受信アンテナ４０のうちの半分の部分に磁性材料体５１が重なっている。すなわち、磁性材料体５１は、中心軸線Ｂの延在方向に見て、受信アンテナ４０のコア４１の一方の端部に重なり他方の端部には重なっていない。従って、受信アンテナ４０のコア４１を通る磁束の磁路の半分近くの部分が磁性材料体５１によって与えられる。その結果、図５のグラフ上の点からわかるように、状態Ｔ１ｂにおける受信アンテナ４０のインダクタンスＬt1bはインダクタンスＬ1，Ｌt1aよりも大きい値を採った。従って、状態Ｔ１ｂにおける受信アンテナ４０を含む受信系の共振周波数ｆt1bは、共振周波数ｆ1，ｆt1aよりも小さくなった。
【００４６】
更に、Ｔ１ｃで示した状態では、磁性材料体５１は、状態Ｔ１ｂの場合と比較して更に９０度相対回転された状態（状態Ｔ１１の場合と比較して１８０度だけ相対回転された状態）を採り、中心軸線Ｂの延在方向に沿って見た場合、磁性材料体５１は、受信アンテナ４０に完全に重なっている。すなわち、磁性材料体５１は、中心軸線Ｂの延在方向に見て、受信アンテナ４０のコア４１の両方の端部に重なっている。従って、受信アンテナ４０のコア４１を通る磁束の磁路のほとんどの部分が磁性材料体５１によって与えられる。その結果、図５のグラフ上の点からわかるように、状態Ｔ１ｃにおける受信アンテナ４０のインダクタンスＬt1cは、インダクタンスＬ1，Ｌt1aやＬt1bよりも大きい値を採った。従って、状態Ｔ１ｃにおける受信アンテナ４０を含む受信系の共振周波数ｆt1cは、共振周波数ｆ1，ｆt1aやｆt1bよりも更に小さくなった。
【００４７】
磁性材料体５１と受信アンテナ４０との相対角度に対するインダクタンスＬt1及び共振周波数ｆt1の依存の仕方は、図５のグラフにおいて、曲線Ｌt1，ｆt1で与えられる。従って、共振（同調）周波数ｆｒが標準電波ＪＪＹの長波の周波数ｆｃに一致するように、図５において、ｆｒ＝ｆｃ＝４０ｋＨｚに一致する位置を与える符号Ｄt1で示した向き（相対角度）を、磁性材料体５１の受信アンテナ４０に対する向き（相対角度）として選択し、当該向きに、半円形磁性材料体５１が向くように、裏蓋１７の表面１７ａに半円形磁性材料体５１を貼着等により形成する。これにより、実質的に、同一の条件で製造される時計１（即ち、実質的に同一のムーブメントを実質的に同一の金属ケース１０その他の実質的に同一の外装内に収容した時計）であれば、受信アンテナ４０が共振（同調）条件を満たすように時計１の部品として組込まれ得る。
【００４８】
なお、裏蓋１７の回転位置が調整可能に構成される場合には、仮に、何らかの原因で部品にバラツキ等があって個体やロット毎に多少の差異が生じることがあっても、裏蓋１７の回転位置を僅かに変えることによって、同調条件を満たすように時計１を組立てることが可能になる。
【００４９】
状態Ｔ１ａから状態Ｔ１ｂとは反対方向に磁性材料体５１を回転させた場合でも、回転特性曲線Ｌt1，ｆt1とほぼ同様な特性の曲線が得られるので、これを利用して磁性材料体５１の向きを選択・決定してもよい。但し、当然ながら、ケース１０内において受信アンテナ４０に比較的近接したところに他の金属部品や磁性部品がある場合にはそれらの配置にも依存することから、厳密には多少異なった特性になり、回転角の大きさも多少は異なり得る。
【００５０】
なお、磁性材料体５１の磁性材料としてＣｏ系アモルファス合金の代わりに他の磁性材料が用いられた場合でも、定性的には上記の説明がそのまま当てはまる。また、磁性材料体５１の平面形状や厚さがある程度変わった場合でも、当然ながら、定性的には上記説明がそのまま当てはまる。
【００５１】
試験例２
磁性材料層５０は、図６の下部に示したように、裏蓋１７のうち室１１に対面する円形領域よりも小さい円の半分の大きさを有する半円形状薄板５２からなる。薄板５２の磁性材料は、試験例１の薄板５１の磁性材料と同一である。この試験例２では、図１及び図２に示したように金属ケース１０の室１１内に配置した受信アンテナ４０に対して、該受信アンテナ４０から最大限離れた位置乃至状態Ｔ２ａと中心軸線Ｂの延在方向に沿って見て該受信アンテナ４０に重なる状態Ｔ２ｆとの間で、薄板５２を平行移動させた。中間的な並進位置ないし状態は、図６において、Ｔ２ｂ，Ｔ２ｃ，Ｔ２ｄ，Ｔ２ｅで示したとおりであり、並進量は、Ｔ２ａ→Ｔ２ｂ，Ｔ２ｂ→Ｔ２ｃ，Ｔ２ｃ→Ｔ２ｄでは同一の大きさであり、Ｔ２ｄ→Ｔ２ｅ，Ｔ２ｅ→Ｔ２ｆでは二倍の大きさであった。
【００５２】
受信アンテナ４０に対して（特に受信アンテナ４０のコア４１の両端部に対して）磁性材料体５２が近接する程、受信アンテナ４０のインダクタンスＬt2が増大し、共振周波数ｆt2が低下するので、並進位置に依存するインダクタンスＬ及び共振周波数ｆｒの特性曲線Ｌt2，ｆt2は、図６に示した通りになった。なお、グラフの横軸は、六つの状態Ｔ２ａ，Ｔ２ｂ，Ｔ２ｃ，Ｔ２ｄ，Ｔ２ｅ，Ｔ２ｆを等間隔に表しているけれども、上記の通り磁性材料体５２の並進量が隣接状態間で一定でない。従って、特性曲線Ｌt2，ｆt2のトレンド（傾き）の向きは有意であるけれども、該特性曲線Ｌt2，ｆt2の傾きの変化の大きさは上記並進量を考慮して評価されるべきものである。
【００５３】
すなわち、時計１の厚さ方向に関して受信アンテナ４０のコア４１と磁性材料体５２とが比較的近接し得ることから、状態Ｔ２ｄを越えて状態Ｔ２ｅに向かって重なりが生じ始めると、並進量が二倍であることを考慮してもインダクタンスＬt2が急激に増加し、コア４１の端部の内周側の相当部分に磁性材料体５２が重なってコア４１の端部を通る磁束が実際上磁性材料体５２を通るようになると、重なりの程度がそれ以上進行してもインダクタンスＬt2はほとんど変化しないという傾向があることがわかる。
【００５４】
この場合にも、共振（同調）周波数ｆｒが標準電波ＪＪＹの長波の周波数ｆｃに一致するように、図６において、ｆｒ＝ｆｃ＝４０ｋＨｚに一致する位置を与える符号Ｄt2で示した並進位置を、磁性材料体５２の並進位置として選択し、当該並進位置に、磁性材料体５２が位置するように、裏蓋１７の表面１７ａに磁性材料体５２を形成する。これにより、実質的に、同一の条件で製造される時計１であれば、本来は共振（同調）条件からズレたインダクタンスの受信アンテナ４０であっても、当該受信アンテナ４０が共振（同調）条件を満たすように時計１に組込まれ得る。
【００５５】
試験例３
文字板１４と同じ大きさの非磁性金属製円板１４ｆの背面に該金属円板１４ｆの直径の６割程度の直径を有する円形磁性材層５３を磁性材料層５０として形成しておき、該金属円板１４ｆ上において受信アンテナ４０を移動させて、受信アンテナ４０のインダクタンス及び共振周波数の変化を測定した。この例では、磁性材料層５３は、フェライト粉を固めたものからなる。
【００５６】
より詳しくは、図７の下部に示したように、非磁性金属円板１４ｆ上において、円形磁性材料層５３から最大限離れた位置乃至状態Ｔ３ａと金属円板１４ｆの中心軸線の延在方向に沿って見て磁性材料層５３に重なる状態Ｔ３ｆとの間で、受信アンテナ４０が磁性材料層４３に徐々に重なるように、金属円板１４ｆの延在面に沿って近接させつつ回転させるように移動させた。中間的な移動位置ないし状態は、図７において、Ｔ３ｂ，Ｔ３ｃ，Ｔ３ｄ，Ｔ３ｅで示したとおりである。この例の場合、中間的な移動位置では、受信アンテナ４０のコア４１の端部のうちの一方の端部と他方の端部とが磁性材料層５３に近接する程度が異なる点で、試験例２とは異なる。
【００５７】
磁性材料層５３に対して受信アンテナ４０（特に受信アンテナ４０のコア４１の端部）が近接する程、受信アンテナ４０のインダクタンスＬt3が増大し、共振周波数ｆt3が低下するので、相対変位位置に依存するインダクタンスＬ及び共振周波数ｆｒの特性曲線Ｌt3，ｆt3は、図７に示したとおりになった。
【００５８】
この場合にも、グラフの横軸は、六つの状態Ｔ３ａ，Ｔ３ｂ，Ｔ３ｃ，Ｔ３ｄ，Ｔ３ｅ，Ｔ３ｆを等間隔に表しているけれども、磁性材料層５３に対する受信アンテナ４０の移動（相対変位）の向き及び大きさが隣接状態間で同一でないことから、特性曲線Ｌt3，ｆt3のトレンド（傾き）は別として、該特性曲線の傾きの変化の大きさ等は傾向として参考にされるべきである。すなわち、金属円板１４ｆの厚さ方向（時計１の厚さ方向）に関して受信アンテナ４０のコア４１と磁性材料層５３とが比較的近接し得ることから、状態Ｔ３ｄを越えて状態Ｔ３ｅに向かって重なりが生じ始めると、受信アンテナ４０のコア４１の一方の端部だけではなく他方の端部が磁性材料層５３に近接してくるので、インダクタンスＬt3が急激に増加し、コア４１の他方の端部に磁性材料層５２が重なるまでインダクタンスＬt3の増加が続くという傾向があることがわかる。
【００５９】
時計１において、時計ケース１０が金属製ではなくて非導電性の樹脂からなっていて金属円板１４ｆの形態の裏蓋１７の影響のみを考慮すればよい場合には、共振周波数ｆｒが標準電波ＪＪＹの長波の周波数ｆｃに一致するように、図７において、ｆｒ＝ｆｃ＝４０ｋＨｚに一致する位置を与える符号Ｄt3で示した相対変位位置を、磁性材料層５３の相対変位位置として選択し、当該相対変位位置Ｄt3に、磁性材料層５３が位置するように、金属円板１４ｆの形態の裏蓋１７の内面１７ａ（図２参照）に磁性材料層５３を形成することになる。これにより、実質的に、同一の条件で製造される時計１であれば、本来は共振（同調）条件からズレたインダクタンスの受信アンテナ４０であっても、当該受信アンテナ４０が共振（同調）条件を満たすように時計１に組込まれ得る。なお、この試験例３を文字板１４に適用する場合には、文字板１４と受信アンテナ４０との間に地板１５が介在して時計１の厚さ方向に関する文字板１４と受信アンテナ４０との相対位置がこの試験例３の相対位置とは若干異なることを考慮して、厳密には、地板１５の厚さを考慮した同様な試験を行って、特性曲線ｆt3を決定する必要がある。
【００６０】
磁性材料体５０は、典型的には、一つながりの連続的な領域を占めるけれども、所望ならば、相互に離れた複数の領域に分散していてもよい。
【図面の簡単な説明】
【００６１】
【図１】本発明の好ましい一実施例の電波時計の平面説明図（裏蓋を取除いた状態で裏蓋側から見た図）。
【図２】図１の電波時計のＩＩ−ＩＩ線断面説明図。
【図３】図１の電波時計の受信アンテナを含む受信系の共振（同調）回路を模式的に示した等価回路図。
【図４】図１の電波時計に用いられる受信アンテナの配置環境に依存する共振特性を模式的に示し同調の採り方を説明するための模式的なグラフ。
【図５】図１の電波時計において、受信アンテナに対して磁性材料体を相対回転した場合における受信アンテナのインダクタンス及び共振周波数の変化の一試験例を示したグラフ。
【図６】図１の電波時計において、受信アンテナに対して磁性材料体を相対的に平行移動させた場合における受信アンテナのインダクタンス及び共振周波数の変化の一試験例を示したグラフ。
【図７】非磁性金属板上で受信アンテナの位置及び向きを変えた場合における受信アンテナのインダクタンス及び共振周波数の変化の一試験例を示したグラフ。
【符号の説明】
【００６２】
１  電波時計
２  外装
１０  非磁性金属製の時計ケース
１１  室
１４  非磁性金属製文字板
１５  樹脂製地板
１６  時計ガラス
１７  非磁性金属製裏蓋
１８  樹脂製輪列受
１９  電池
２０  時計輪列
３０  モータ
４０  受信アンテナ
４１  磁気コア
４２  巻線
５０，５１，５２，５３  軟磁性材料体
６０  回路ブロック
６１  回路基板
６２，６３  集積回路
６４，６５  発振器
７０  共振回路
Ａ0，Ａ1，Ａc  共振特性曲線
Ｂ  中心軸線
Ｄｒ，Ｄt1，Ｄt2，Ｄt3  補正用位置
ｆ0，ｆ1，ｆr  共振周波数
ｆc  標準電波の周波数
ｆt1，ｆt2，ｆt3  共振周波数の変化を表す曲線
Ｌ，Ｌ0，Ｌ1  インダクタンス
Ｌt1，Ｌt2，Ｌt3  インダクタンスの変化を表す曲線
Ｔ１ａ，Ｔ１ｂ，Ｔ１ｃ  金属ケース内の受信アンテナに対する磁性材料体の相対回転位置に応じた状態
Ｔ２ａ，Ｔ２ｂ，Ｔ２ｃ，Ｔ２ｄ，Ｔ２ｅ，Ｔ２ｆ  金属ケース内の受信アンテナに対する磁性材料体の相対並進位置に応じた状態
Ｔ３ａ，Ｔ３ｂ，Ｔ３ｃ，Ｔ３ｄ，Ｔ３ｅ，Ｔ３ｆ  金属製文字板上の磁性材料体に対する受信アンテナの相対変位位置に応じた状態
【図１】
2007107891.tif 000003
【図２】
2007107891.tif 000004
【図３】
2007107891.tif 000005
【図４】
2007107891.tif 000006
【図５】
2007107891.tif 000007
【図６】
2007107891.tif 000008
【図７】
2007107891.tif 000009